(57)【特許請求の範囲】
【請求項１】
装置本体上に固定された原稿ガラスと、
上記原稿ガラスに対して移動可能に配設され、主光源を有する光源ユニットと、
上記原稿ガラスに対して上記光源ユニットを移動させる光源移動手段と、
上記原稿ガラス上の所定の読取位置に原稿を搬送する原稿搬送手段と、
原稿読取モードとして、上記原稿ガラス上で静止された状態の原稿の画像を上記光源ユニットを移動させつつ読み取る光源移動モードと、上記光源ユニットが上記読取位置近傍で静止した状態で、上記原稿搬送手段によって上記読取位置に搬送されてくる原稿の画像を読み取る原稿搬送モードとのいずれか一方を設定するモード設定手段と、
上記原稿ガラス上で静止された状態の原稿又は上記原稿搬送手段によって上記読取位置に搬送されてくる原稿に対して、上記光源ユニットの主光源から照射された光の反射光を撮像する撮像手段と、
上記主光源を点灯して、上記モード設定手段によって設定された上記光源移動モード又は上記原稿搬送モードのいずれかで、上記撮像手段による撮像を行う読取制御手段と、
上記主光源からの光を上記読取位置に向けて反射する補助反射板を有し、上記光源ユニットとは別体として上記読取位置近傍に配設された補助光源ユニットと、
上記原稿ガラスの端部に配設されたシェーディング補正用基準データを取得するための標準板と、
上記撮像手段に上記標準板の撮像をさせてシェーディング補正用基準データを取得させる制御手段とを備え、
上記補助光源ユニットは、弾性部材によって上記光源ユニット側に付勢された状態で上記装置本体に移動可能に支持され、上記モード設定手段によって上記原稿搬送モードが設定されている場合には、上記読取位置近傍の静止位置にある上記光源ユニットの主光源からの光を上記補助反射板が上記読取位置に向けて反射し、上記モード設定手段によって上記光源移動モードが設定されている場合には、上記読取位置から離れた位置にある上記光源ユニットの主光源からの光を上記補助反射板が反射しない位置に配設されており、
上記光源ユニットが上記標準板側に移動するときには、上記光源ユニットの一部が上記補助光源ユニットに当接した状態となり、上記弾性部材による上記補助光源ユニットに対する上記光源ユニット側への押圧力でもって、上記光源ユニットと上記補助反射板の相対的な位置関係が保持され、
上記制御手段は、上記撮像手段による上記原稿搬送モード用のシェーデング補正用基準データの取得を、上記光源ユニットが上記標準板側に移動し、上記光源ユニットの主光源からの光が上記補助反射板によって上記標準板に向けて反射される状態となっているときに行わせる画像読取装置。
【請求項２】
上記原稿ガラスは、上記補助光源ユニット側とは反対側に配設され、上記モード設定手段によって上記光源移動モードに設定されている場合に、原稿が静止した状態で載置され、この載置された原稿の画像を上記撮像手段によって撮像するための第１原稿ガラスと、上記補助光源ユニット側に配設され、上記モード設定手段によって上記原稿搬送モードに設定されている場合に、上記原稿搬送手段によって搬送されてくる原稿に対する上記撮像手段による上記読取位置とされる第２原稿ガラスとからなり、
上記標準板は、上記第１原稿ガラスの端部と、上記第２原稿ガラスの端部とにそれぞれ配設された２つの標準板からなり、
上記制御手段は、上記モード設定手段によって上記原稿搬送モードに設定されている場合には、上記光源ユニットが上記補助光源ユニット側に移動し、上記第２原稿ガラス端部に配設された標準板に向けて上記光源ユニットの主光源からの光が照射され、かつ上記光源ユニットの主光源からの光が上記補助反射板によって反射される状態で、この標準板を上記撮像手段により撮像させてシェーデング補正用基準データを取得し、上記モード設定手段によって上記光源移動モードに設定されている場合には、上記光源ユニットが上記補助光源ユニットとは反対側方向に移動し、上記第１原稿ガラス端部に配設された標準板に向けて上記光源ユニットの主光源からの光のみが照射される状態で、この標準板を上記撮像手段により撮像させてシェーデング補正用基準データを取得する請求項１に記載の画像読取装置。
【発明の詳細な説明】
【０００１】
【発明の属する技術分野】
本発明は、複写機やファクシミリ装置などに用いられる原稿画像を読み取るための画像読取装置に関するものである。
【０００２】
【従来の技術】
一般に、複写機やファクシミリ装置などでは、複写や送信を行う原稿の画像を読み取る画像読取装置を備えている。この画像読取装置は、光源からの光を原稿に照射し、その反射光の像を例えばＣＣＤからなる撮像部により撮像するように構成されている。
【０００３】
従来の画像読取装置では、読取可能な原稿の幅方向（主走査方向）の最大寸法がカバー可能な寸法の長尺の光源を備え、原稿ガラス上に原稿が静止した状態で当該光源を主走査方向に直交する副走査方向に移動させ、副走査方向に所定の微小間隔で、原稿からの反射光を主走査方向に順次または同時に撮像するような構成が採用されていた。
【０００４】
これに対して、最近の画像読取装置では、シート状の原稿が複数枚ある場合に上記光源を原稿ガラス上に設けられた所定の読取位置近傍で静止させておき、その読取位置を通過するように原稿を上記副走査方向に搬送しつつ、所定の微小間隔で原稿からの反射光を上記主走査方向に順次または同時に撮像するような構成を備えたものが実用化されている。このような画像読取装置では、原稿が例えばブック型の場合には、光源を移動させる光源移動モードで原稿画像を読み取り、原稿がシート状の場合には、原稿を搬送する原稿搬送モードで原稿画像を読み取るように構成されている。
【０００５】
この画像読取装置によれば、原稿搬送モードでは比較的重量の大きい光源は静止した状態で軽量のシート状原稿を搬送しているので、光源移動モードに比べて上記副走査方向における原稿に対する光源の相対移動速度を増大することができるため、原稿画像の読取速度を向上することができる。その結果、画像読取装置の占有時間が短縮することにより、複写機やファクシミリ装置の使い勝手を向上することができる。
【０００６】
【発明が解決しようとする課題】
ところが、原稿に対する光源の相対移動速度が増大すると、原稿に照射される単位面積当たりの光量が低下するため、撮像部における受光光量が低下して原稿画像の読取が適正に行えなくなる虞がある。特に、カラー原稿を読み取るカラー画像読取装置の場合には、光量不足が画質の劣化に大きく影響する。従って、これを回避するためには光源の発光輝度を増大する必要がある。
【０００７】
しかし、光源の発光輝度を増大すると、光源移動モードでは光量が適正光量より過大になる虞がある。そこで、光源移動モードと原稿搬送モードとで光源の発光輝度を切替可能にすると、光源の点灯回路などの構成が複雑化するため、装置のコスト上昇を招いてしまう。また、光源の発光輝度が増大すると発熱量も増大することになるが、原稿搬送モードでは光源が静止しているため、これによる光源近傍の温度上昇が問題になる虞がある。
【０００８】
本発明は、上記問題を解決するもので、光源移動モードと原稿搬送モードとを備えた画像読取装置において、原稿に対する光源の相対移動速度が増大する原稿搬送モードにおける光量不足を解消することができる画像読取装置を提供することを目的とする。
【０００９】
【課題を解決するための手段】
請求項１の発明は、装置本体上に固定された原稿ガラスと、
上記原稿ガラスに対して移動可能に配設され、主光源を有する光源ユニットと、
上記原稿ガラスに対して上記光源ユニットを移動させる光源移動手段と、
上記原稿ガラス上の所定の読取位置に原稿を搬送する原稿搬送手段と、
原稿読取モードとして、上記原稿ガラス上で静止された状態の原稿の画像を上記光源ユニットを移動させつつ読み取る光源移動モードと、上記光源ユニットが上記読取位置近傍で静止した状態で、上記原稿搬送手段によって上記読取位置に搬送されてくる原稿の画像を読み取る原稿搬送モードとのいずれか一方を設定するモード設定手段と、
上記原稿ガラス上で静止された状態の原稿又は上記原稿搬送手段によって上記読取位置に搬送されてくる原稿に対して、上記光源ユニットの主光源から照射された光の反射光を撮像する撮像手段と、
上記主光源を点灯して、上記モード設定手段によって設定された上記光源移動モード又は上記原稿搬送モードのいずれかで、上記撮像手段による撮像を行う読取制御手段と、
上記主光源からの光を上記読取位置に向けて反射する補助反射板を有し、上記光源ユニットとは別体として上記読取位置近傍に配設された補助光源ユニットと、
上記原稿ガラスの端部に配設されたシェーディング補正用基準データを取得するための標準板と、
上記撮像手段に上記標準板の撮像をさせてシェーディング補正用基準データを取得させる制御手段とを備え、
上記補助光源ユニットは、弾性部材によって上記光源ユニット側に付勢された状態で上記装置本体に移動可能に支持され、上記モード設定手段によって上記原稿搬送モードが設定されている場合には、上記読取位置近傍の静止位置にある上記光源ユニットの主光源からの光を上記補助反射板が上記読取位置に向けて反射し、上記モード設定手段によって上記光源移動モードが設定されている場合には、上記読取位置から離れた位置にある上記光源ユニットの主光源からの光を上記補助反射板が反射しない位置に配設されており、
上記光源ユニットが上記標準板側に移動するときには、上記光源ユニットの一部が上記補助光源ユニットに当接した状態となり、上記弾性部材による上記補助光源ユニットに対する上記光源ユニット側への押圧力でもって、上記光源ユニットと上記補助反射板の相対的な位置関係が保持され、
上記制御手段は、上記撮像手段による上記原稿搬送モード用のシェーデング補正用基準データの取得を、上記光源ユニットが上記標準板側に移動し、上記光源ユニットの主光源からの光が上記補助反射板によって上記標準板に向けて反射される状態となっているときに行わせる画像読取装置である。
【００１０】
この構成によれば、原稿読取モードとして光源移動モードが設定されたときは、原稿ガラス上で原稿が静止した状態で光源ユニットが移動し、主光源からの光が原稿により反射されて、この反射光が撮像手段により撮像される。
【００１１】
一方、原稿読取モードとして原稿搬送モードが設定されたときは、原稿ガラス上の所定の読取位置近傍に光源ユニットが静止した状態で、原稿がこの所定の読取位置に搬送される。このとき、主光源からの光が直接原稿に照射されるとともに、主光源からの光が補助反射板で反射し、この反射光が原稿に照射され、双方の光が照射された原稿からの反射光が撮像手段により撮像される。
【００１２】
従って、原稿搬送モードのときは、光源移動モードのときに比べて原稿に照射される光量が増大するため、原稿に対する光源の相対移動速度が増大しても、原稿の単位面積当たりの光量の低下が防止されるので、光量不足による画質の劣化が未然に防止されることとなる。
【００１３】
なお、本明細書では、「原稿ガラス」は、ガラスに限られず、硬質合成樹脂などからなる透明体を含むものとする。
【００１４】
また、請求項２の発明は、請求項１記載の画像読取装置において、上記原稿ガラスは、上記補助光源ユニット側とは反対側に配設され、上記モード設定手段によって上記光源移動モードに設定されている場合に、原稿が静止した状態で載置され、この載置された原稿の画像を上記撮像手段によって撮像するための第１原稿ガラスと、上記補助光源ユニット側に配設され、上記モード設定手段によって上記原稿搬送モードに設定されている場合に、上記原稿搬送手段によって搬送されてくる原稿に対する上記撮像手段による上記読取位置とされる第２原稿ガラスとからなり、
上記標準板は、上記第１原稿ガラスの端部と、上記第２原稿ガラスの端部とにそれぞれ配設された２つの標準板からなり、
上記制御手段は、上記モード設定手段によって上記原稿搬送モードに設定されている場合には、上記光源ユニットが上記補助光源ユニット側に移動し、上記第２原稿ガラス端部に配設された標準板に向けて上記光源ユニットの主光源からの光が照射され、かつ上記光源ユニットの主光源からの光が上記補助反射板によって反射される状態で、この標準板を上記撮像手段により撮像させてシェーデング補正用基準データを取得し、上記モード設定手段によって上記光源移動モードに設定されている場合には、上記光源ユニットが上記補助光源ユニットとは反対側方向に移動し、上記第１原稿ガラス端部に配設された標準板に向けて上記光源ユニットの主光源からの光のみが照射される状態で、この標準板を上記撮像手段により撮像させてシェーデング補正用基準データを取得するものである。
【００１５】
この構成によれば、シェーディング補正用基準データの取得時に、光源ユニットおよび補助反射板の位置関係を保持した状態で、第１原稿ガラス端部及び第２原稿ガラス端部に配設されたそれぞれの標準板に対して、光源ユニットおよび補助反射板を移動するので、上記原稿搬送モード及び光源移動モードのいずれの場合においても、原稿読取時における原稿に対する光量と、シェーディング補正用基準データの取得時における標準板に対する光量とが等しくなり、これによってシェーディング補正用基準データの取得が正確に行われることとなる。
【００１６】
【発明の実施の形態】
図１は本発明に係る画像読取装置が適用される複写機の一実施形態の要部を示す構成図である。
【００１７】
この複写機１は、例えば直方体形状の複写機本体２と、この複写機本体２上に配設された自動原稿搬送部３とを備え、原稿のカラー画像を転写紙に複写することができるカラー複写機である。
【００１８】
複写機本体２は、その上面に配設され、例えばＡ３サイズの原稿が載置可能な長方形状の第１原稿ガラス４と、この第１原稿ガラス４の左方に配設され、紙面奥行き方向（主走査方向）の寸法が第１原稿ガラス４と同一の第２原稿ガラス５と、第１、第２原稿ガラス４，５の直ぐ下方に配設された画像読取部６（後述）と、この画像読取部６の下方に配設された像形成部７とを備えている。
【００１９】
自動原稿搬送部３は、複写機本体２の上面の後端部（紙面奥側）に沿って設けられた回転軸（図示省略）を中心に回転して前端部（紙面手前側）が昇降可能に構成されており、原稿載置トレイ１１、原稿排出部１２、原稿載置トレイ１１に積層載置されたシート状の原稿１０（図３）を搬送し、第２原稿ガラス５上の所定の読取位置を通過させて原稿排出部１２に積層排出する搬送ローラ１３〜１５（図３）、この搬送ローラ１３〜１５を回転駆動するモータなどからなる搬送駆動部１６（図５）を備えている。
【００２０】
また、この自動原稿搬送部３は、第１原稿ガラス４上に載置された原稿を押える原稿押えとしての機能を有している。
【００２１】
そして、図１に示すように自動原稿搬送部３により複写機本体２の上面が閉じられた状態で、第１原稿ガラス４上に載置された原稿または第２原稿ガラス５上に搬送された原稿のカラー画像が画像読取部６により読み取られ、この読み取られたカラー画像が像形成部７により転写紙に複写されるように構成されている。
【００２２】
次に、図１〜図３を用いて画像読取部６について説明する。図２は主光源の構成を示す斜視図、図３は図１の部分拡大図である。なお、図３では、説明の便宜上、自動原稿搬送部は搬送ローラのみを示している。
【００２３】
図１において、画像読取部６は、主光源２１および反射鏡２２を備える光源ユニット２３と、反射鏡２４，２５を備える反射鏡ユニット２６と、結像レンズ部２７と、撮像部２８と、補助光源部２９と、光源ユニット２３および反射鏡ユニット２６を連動して図中、左右方向に移動させる光源移動部３０（図５）とを備えている。
【００２４】
主光源２１は、第１原稿ガラス４の主走査方向（図１中、紙面奥行き方向）の寸法より多少長尺で、第１原稿ガラス４または第２原稿ガラス５上の原稿に光を照射するものである。この主光源２１は、例えば図２に示すように、内壁に蛍光体３１が塗布されたガラス管３２内に希ガス（本実施形態では例えばキセノン）が封入された蛍光ランプからなる。ガラス管３２の外周には一対の電極３３，３４が互いに対向して印刷され、その外側には、所定の開口部３５を除いて反射膜３６が形成されており、この反射膜３６により光が原稿に向けて効率良く照射されるようになっている。
【００２５】
なお、上記開口部３５の大きさは、第１原稿ガラス４または第２原稿ガラス５上の原稿に光を照射するとともに、補助光源部２９の補助反射板４１（図３）にも光を照射し得るように設定されている。また、本実施形態では、ランプ全体が透明の熱収縮チューブ３７により覆われている。
【００２６】
図１に戻り、撮像部２８は、例えばＣＣＤなどの光電変換素子が主走査方向に一列に配列されてなるラインセンサと、赤色波長、緑色波長、青色波長の光をそれぞれ透過する３個のフィルタとを備え、各色ごとに受光光量に応じたレベルの受光信号を出力するものである。結像レンズ部２７は、原稿からの反射光を撮像部２８の受光面に結像するものである。
【００２７】
この構成により、主光源２１からの光が原稿を照射すると原稿で反射され、その反射光は反射鏡２２，２４，２５により反射され、結像レンズ部２７により撮像部２８の各光電変換素子に結像することとなる。なお、反射鏡ユニット２６の移動量は、光源ユニット２３の１／２にされており、これによって原稿から撮像部２８までの光路長が一定に維持されている。
【００２８】
補助光源部２９は、図３に示すように、補助反射板４１を有する補助光源ユニット４２と、この補助光源ユニット４２を支持する弾性部材４３とからなる。補助反射板４１は、例えば半球面の内壁に金属が蒸着されてなる反射鏡からなり、主光源２１からの光を第２原稿ガラス５上の原稿に向けて反射するものである。弾性部材４３は、一端が装置本体２に固定され、他端が補助光源ユニット４２に固定されており、補助光源ユニット４２を装置本体２に対して、図中、左右方向に移動可能に支持するものである。
【００２９】
なお、図３に示すように、第２原稿ガラス５の左端部には、シェーディング補正用の標準白色板８が配設され、第１原稿ガラス４の左端部にも、シェーディング補正用の標準白色板９が配設されている。
【００３０】
次に、図１、図３、図４を参照しながら、図５のブロック図を用いて、この複写機１の制御動作について説明する。図４はシェーディング補正用基準データの取得を行うときの状態を示す図１の部分拡大図、図５は複写機１の電気的構成を示すブロック図である。なお、図１、図３と同一物については同一符号を付している。
【００３１】
図５において、主点灯回路５１は、主光源２１に発光のための駆動電流を供給するものである。第１原稿検出部５３は、例えば光センサからなり、第１原稿ガラス４上の原稿の有無および原稿が載置されていればその原稿サイズを検出するものである。第２原稿検出部５４は、例えば光センサからなり、自動原稿搬送部３の原稿載置トレイ１１上の原稿の有無を検出するものである。
【００３２】
操作部５５は、複写機本体２（図１）の上面適所に配設され、複写動作の開始を指示するプリントキー６１、複写倍率を設定する倍率設定キー、複写部数を設定するためのテンキー、その他の操作キーを備えている。
【００３３】
メモリ部５６は、撮像部２８からの受光信号がディジタル値に変換された受光データや各種のデータを一時的に格納するＲＡＭや、ＣＰＵ５７の制御プログラムを格納するＲＯＭからなる。
【００３４】
ＣＰＵ５７は、プリントキー６１が操作されると複写動作を開始するなど、複写機１全体の動作を制御するもので、機能ブロックとして、モード設定部７１、読取制御部７２、補正制御部７３を備えている。
【００３５】
モード設定部７１は、第１、第２原稿検出部５３，５４による検出結果に基づき、原稿読取モードを設定するものである。この複写機１は、原稿読取モードとして、光源移動モードおよび原稿搬送モードを備えている。
【００３６】
光源移動モードは、第１原稿ガラス４上に原稿が載置された状態で主光源２１を移動させつつ原稿画像を読み取るモードである。一方、原稿搬送モードは、第２原稿ガラス５上の所定の読取位置近傍に主光源２１が静止した状態で自動原稿搬送部３により原稿を上記読取位置に搬送しつつ原稿画像を読み取るモードである。
【００３７】
そして、モード設定部７１は、第１原稿検出部５３により第１原稿ガラス４上に原稿が載置されていることが検出されると、光源移動モードに設定し、第２原稿検出部５４により原稿載置トレイ１１上に原稿が載置されていることが検出されると、原稿搬送モードに設定する。
【００３８】
読取制御部７２は、モード設定部７１により設定された原稿読取モードに応じて、画像読取部６の各部の動作を制御するものである。
【００３９】
すなわち、読取制御部７２は、光源移動モードに設定されたときは、プリントキー６１が操作されると、主点灯回路５１により主光源２１を点灯し、光源移動部３０により光源ユニット２３および反射鏡ユニット２６を図１中、二点鎖線で示すホームポジションから右方に移動させる。
【００４０】
そして、主光源２１は、移動しつつ第１原稿ガラス４上に載置された原稿に光を照射し、撮像部２８は、原稿からの反射光を撮像する。
【００４１】
一方、原稿搬送モードに設定されたときは、読取制御部７２は、以下の(1)〜(3)の動作を行わせる。
【００４２】
(1)プリントキー６１が操作されると、光源移動部３０により光源ユニット２３および反射鏡ユニット２６を図３に示す（図１中、実線で示す）所定位置まで移動させる。このとき、光源ユニット２３の当接部２３ａが補助光源ユニット４２に当接し、弾性部材４３の弾性力に逆らって、補助光源ユニット４２が多少左方に移動する。
【００４３】
(2)主点灯回路５１により主光源２１を点灯する。
【００４４】
(3)搬送駆動部１６を動作させて搬送ローラ１３，１４，１５を回転させ、原稿１０を原稿載置トレイ１１から原稿排出部１２に搬送する。このとき、原稿１０は第２原稿ガラス５上の搬送ローラ１４に対向する読取位置を通過する。
【００４５】
そして、主光源２１および主光源２１からの光を反射する補助反射板４１は第２原稿ガラス５上の読取位置を通過する原稿１０に光を照射し、撮像部２８は原稿１０からの反射光を撮像する。
【００４６】
補正制御部７３は、画像読取部６により標準白色板８，９を読み取ったときの撮像部２８からの受光データをメモリ部５６に格納し、この受光データを用いてシェーディング補正を行うものである。
【００４７】
この補正制御部７３は、光源移動モードのときは光源ユニット２３および反射鏡ユニット２６をホームポジションに位置した状態で主光源２１を点灯し、第１原稿ガラス４の左端部に配設された標準白色板９からの反射光を撮像部２８により撮像する。
【００４８】
一方、補正制御部７３は、原稿搬送モードのときは、図４に示すように、光源ユニット２３および反射鏡ユニット２６を図３の所定位置からさらに所定距離だけ左方に移動して所定の補正位置に配置する。このとき、光源ユニット２３の当接部２３ａが補助光源ユニット４２に当接しているので、弾性部材４３の弾性力に逆らって、補助光源ユニット４２が上記所定距離だけ左方に移動する。そして、主光源２１を点灯し、主光源２１および補助反射板４１からの光を標準白色板８に照射して、標準白色板８からの反射光を撮像部２８により撮像する。
【００４９】
ここで、光源ユニット２３の当接部２３ａが補助光源ユニット４２に当接した状態が維持されているので、原稿読取時と、シェーディング補正用基準データ取得時とで、主光源２１と補助反射板４１との位置関係が等しいので、原稿１０および標準白色板８の光量が等しくなり、シェーディング補正用基準データの取得が正確に行われることとなる。
【００５０】
このように、本実施形態によれば、原稿読取モードとして原稿搬送モードが設定されたときは、主光源２１からの光に加えて、主光源２１からの光を補助反射板４１により原稿に向けて反射するようにしているので、原稿に対する光量を増大することができ、これによって、原稿に対する光源の相対移動速度が増大しても、光量不足が生じることがなく、光量不足による画質の劣化を未然に防止することができる。
【００５１】
また、本実施形態によれば、第２原稿ガラス５に標準白色板８を配設し、光源ユニット２３を移動させることにより補助光源ユニット４２を装置本体２に対して移動可能に配設しているので、カラー画像読取には必須のシェーディング補正用基準データの取得を行うことができる。
【００５２】
このとき、弾性部材４３の一端が固定された補助光源ユニット４２に、光源ユニット２３の当接部２３ａを当接させることで、弾性部材４３の弾性力に逆らって、補助光源ユニット４２の位置を規制しているので、原稿読取時とシェーディング補正時とで、主光源２１と補助反射板４１との位置関係を等しくすることができ、原稿１０と標準白色板８との光量が等しくなることから、シェーディング補正を正確に行うことができる。
【００５３】
なお、本発明は、上記実施形態に限られず、以下の変形形態を採用することができる。
【００５４】
（１）上記実施形態では、カラー複写機としているが、これに限られず、白黒の複写機に適用することができる。この場合には、主光源２１として、希ガス蛍光ランプに代えて、黄緑色の波長など特定の波長の光を出力する蛍光ランプを用いてもよい。
【００５５】
（２）上記実施形態では、第２原稿ガラス５上に標準白色板８を配設しているが、これに限られない。図６は搬送ローラ１４を標準白色板として共用した形態を示す図である。
【００５６】
この形態における搬送ローラ１４は、その表面を標準白色板と同一色に塗装したものである。この形態では、原稿読取時とシェーディング補正用基準データの取得時の位置が同一であるので、シェーディング補正用基準データの取得時に光源ユニット２３および補助光源ユニット４２を移動させることが不要になる。従って、上記実施形態のように補助光源ユニット４２を装置本体２に移動可能に配設する必要がなく、図６に示すように装置本体２に固定しておけばよい。
【００５７】
この形態によれば、標準白色板８が不要になるとともに、補助光源ユニット４２を装置本体２に固定しておけばよいので、装置を構成する部品点数を削減することにより、構成を簡素化することができる。
【００５８】
（３）上記実施形態では、複写機に適用しているが、これに限られず、ファクシミリ装置などの原稿画像を読み取る装置に適用することができる。
【００５９】
【発明の効果】
以上説明したように、請求項１の発明によれば、原稿読取モードとして原稿搬送モードが設定されたときは、主光源からの光を補助反射板により原稿に向けて反射するようにしているので、光源移動モードのときに比べて原稿に照射される光量が増大するため、原稿に対する光源の相対移動速度が増大しても、原稿の単位面積当たりの光量の低下が防止されることから、光量不足による画質の劣化を未然に防止することができる。
【００６０】
また、請求項２の発明によれば、シェーディング補正用基準データの取得を行うときに、光源ユニットおよび補助反射板の位置関係を保持した状態で、原稿ガラスの端部に配設された標準板側に光源ユニットおよび補助反射板を移動するので、原稿と標準板の光量が等しくなり、これによってシェーディング補正用基準データの取得を正確に行うことができる。
【図面の簡単な説明】
【図１】本発明に係る画像読取装置が適用される複写機の一実施形態の要部を示す構成図である。
【図２】主光源の構成を示す斜視図である。
【図３】図１の部分拡大図である。
【図４】シェーディング補正用基準データの取得を行うときの状態を示す図１の部分拡大図である。
【図５】複写機の電気的構成を示すブロック図である。
【図６】搬送ローラを標準白色板として共用した形態を示す図である。
【符号の説明】
２  装置本体
３  自動原稿搬送装置
４  第１原稿ガラス
５  第２原稿ガラス
６  画像読取部
８  標準白色板
１０  原稿
１３，１４，１５  搬送ローラ
１６  搬送駆動部
２１  主光源
２３  光源ユニット
２８  撮像部
４１  補助反射板
５７  ＣＰＵ（読取制御手段）
７１  モード設定部
７２  読取制御部
７３  補正制御部
【図１】
0003576921.tif 000002
【図２】
0003576921.tif 000003
【図３】
0003576921.tif 000004
【図４】
0003576921.tif 000005
【図５】
0003576921.tif 000006
【図６】
0003576921.tif 000007